(57)【要約】 【課題】  複数の素子基板を有する記録ヘッドでは、素子基板の昇温や電流ノイズの影響が、一方の素子基板に偏って現れることが多かった。【解決手段】  複数の記録素子が備えられ、前記複数の記録素子を有する第１の素子基板と第２の素子基板を前記第１の素子基板と離間して設けた記録ヘッドであって、前記第１の素子基板は、前記第２の素子基板と電気的に接続され、前記第２の素子基板の記録素子を駆動するための処理機能を有する第１の機能回路を有することを特徴とする。【選択図】  図１
2008168627.tif 000002
【特許請求の範囲】
【請求項１】
複数の記録素子が備えられ、前記複数の記録素子を有する第１の素子基板と第２の素子基板を互いに離間して設けた記録ヘッドであって、
前記第１の素子基板は、
前記第２の素子基板と電気的に接続され、前記第２の素子基板の記録素子を駆動するための処理機能を有する第１の機能回路を有することを特徴とする記録ヘッド。
【請求項２】
前記第１の機能回路は、前記第１の素子基板の記録素子を駆動するための一部の処理機能をさらに有することを特徴とする請求項１に記載の記録ヘッド。
【請求項３】
前記第１の素子基板は、前記第１の素子基板の記録素子を駆動するための一部の処理機能を有する第２の機能回路をさらに有することを特徴とする請求項１に記載の記録ヘッド。
【請求項４】
前記第２の素子基板は、前記第１の素子基板の記録素子を駆動するための一部の処理機能を有する第３の機能回路を有することを特徴とする請求項１に記載の記録ヘッド。
【請求項５】
前記第２の素子基板は、前記第１の機能回路の処理機能を補完する第４の機能回路を有することを特徴とする請求項１に記載の記録ヘッド。
【請求項６】
前記複数の記録素子は第１の電圧が印加され、前記複数の記録素子を駆動する駆動素子を有し、
前記第１の機能回路または前記第２の機能回路の少なくともいずれか１つは、前記第１の電圧と同電位の電圧に基づいて、前記駆動素子を駆動するための第２の電圧を発生させる電圧発生回路であることを特徴とする請求項３に記載の記録ヘッド。
【請求項７】
前記複数の記録素子は第１の電圧が印加され、前記複数の記録素子を駆動する駆動素子を有し、
前記第１の機能回路または前記第３の機能回路の少なくともいずれか１つは、前記第１の電圧と同電位の電圧に基づいて、前記駆動素子を駆動するための第２の電圧を発生させる電圧発生回路であることを特徴とする請求項４に記載の記録ヘッド。
【請求項８】
前記複数の記録素子は第１の電圧が印加され、前記複数の記録素子を駆動する駆動素子を有し、
前記第１の機能回路または前記第４の機能回路の少なくともいずれか１つは、前記第１の電圧と同電位の電圧に基づいて、前記駆動素子を駆動するための第２の電圧を発生させる電圧発生回路であることを特徴とする請求項５に記載の記録ヘッド。
【請求項９】
インクジェット用であることを特徴とする請求項１乃至請求項８のいずれか１項に記載の記録ヘッド。
【請求項１０】
請求項１乃至請求項９のいずれか１項に記載の記録ヘッドと、インクを収容したインクタンクとを有することを特徴とするヘッドカートリッジ。
【請求項１１】
請求項１乃至請求項９のいずれか１項に記載の記録ヘッドまたは請求項１０に記載のヘッドカートリッジを有することを特徴とする記録装置。
【発明の詳細な説明】
【技術分野】
【０００１】
本発明は、特に、インクを吐出するためにエネルギーを発生する記録素子とそれを駆動するための駆動回路を同一の素子基板上に形成したインクジェット用の記録ヘッド、該記録ヘッドを用いたヘッドカートリッジ、記録装置に関するものである。
【背景技術】
【０００２】
一般に、インクジェット用の記録装置に搭載される記録ヘッドの記録素子である電気熱変換体（ヒータ）とその駆動回路は、例えば特許文献１に示されているように半導体プロセス技術を用いて同一の素子基板上に形成されている。
【０００３】
最近のインクジェット用の記録装置では、記録品位や記録速度の向上などを目的として、多くの色のインクに対応した多くのノズル列を記録ヘッドに設ける傾向がある。
【０００４】
この多くの色のインクに対応した多くのノズル列を実現している例として、テキスト等の記録を目的とした黒インク吐出用の素子基板と、写真や図表等の記録を目的としたカラーインク吐出用の素子基板とを、１つの記録ヘッドに搭載する構成がある。
【０００５】
また他の例として、記録画像の色空間の拡張や階調性の向上を目的とした６色や８色といった多くの色のインクでの記録を実現するために、素子基板を複数個搭載した構成もある。
【０００６】
これら最近の記録ヘッドの特徴として、複数の素子基板を搭載し、記録品位や記録速度を向上していることが挙げられる。
【０００７】
ヒータと駆動回路とが一体形成された素子基板は、様々なレイアウトがある。その一例として、外部と接続する電源端子や信号端子のパッドが、素子基板の短辺側に配置されていて、そこから内部の各回路へアルミ（Ａｌ）配線で接続されている素子基板を図４に示す。
【０００８】
素子基板４００の短辺側に配置したパッド４１０から電源電圧や画像データ等のロジック信号などが入力される。入力信号などは必要に応じ入力回路４０２を介してシフトレジスタ４０３へ入力される。シフトレジスタ４０３は、入力されるシリアルデータをパラレルデータに変換する。パラレルデータに変換されたデータの一部である画像データは記録素子（ヒータ）選択回路アレイ４０５に出力され、他の一部はデコーダ４０４へ時分割データとして出力される。デコーダ４０４では、ヒータを駆動するタイミングを規定する時分割信号をＡＮＤ回路などの記録素子選択回路アレイ４０５へと出力する。記録素子選択回路アレイ４０５は、ヒータアレイ４０７の中のヒータからオンさせるヒータを選択する。選択されたヒータに対応するドライバトランジスタアレイ４０６中のドライバトランジスタが駆動し、対応するヒータに電流が流れ、インク発泡、吐出が行われることとなる。
【０００９】
また、機能回路１０５は、これらの駆動制御をより効率よく行うための処理機能を有する回路である。機能回路１０５の例として、ドライバトランジスタを駆動させるためのドライバ駆動電圧を発生もしくは変換する回路、基準となる電圧を発生する回路、ヒータに与える駆動電流を制御する回路がある。さらに、温度等の素子基板４００の情報を外部に出力するための回路、素子基板４００の情報を保持、記憶するためのメモリ、各種データに加工や修正を行う回路等がある。このように機能回路とは単に異なる素子基板に与える信号やデータを転送するだけの回路を意味するのではなく、電圧の発生や変換、データの加工や修正、データの記憶出力などの処理機能を持つ回路である。
【００１０】
なお、図４ではインク供給口１０４を素子基板４００内に１つ有する形態を示しているが、このインク供給口１０４を同一素子基板に複数配置し、複数色のインクを吐出可能とする形態も広く普及している。さらに、インク供給口１０４を１つ有するブラックインクを吐出する素子基板（ブラック用素子基板）と、インク供給口１０４を複数有しカラーインクを吐出する素子基板（カラー用素子基板）とを、組み合わせた記録ヘッドが普及している。
【００１１】
複数のインク供給口１０４を有する素子基板４００においては、駆動制御を行う回路や記録素子選択回路がインク供給口１０４の数に対応して複数配置されているものが一般的となっている。またその場合、素子基板４００内で共有できる回路は共有するなど、回路構成の効率的な配置が適宜行われている。
【００１２】
また、ヒータに電流を供給するためのドライバトランジスタとしてＮＭＯＳトランジスタによるパワートランジスタを採用した記録ヘッドがある。この記録ヘッドにおいて、ＮＭＯＳトランジスタのドライバビリティを向上させるために、論理回路の電源電圧（例えば３．３Ｖや５Ｖなど）を昇圧してＮＭＯＳトランジスタのゲートに印加する構成が開示されている（特許文献２参照）。
【００１３】
図６は、１つのヒータ、１つのドライバトランジスタ等を含む１セグメントの等価回路の一従来例を示す図である。なお、変換電圧発生部は図７に示すように複数のセグメントに共通に対応したものである。図６は接続関係を示すために記載であって、変換電圧発生部はヒータ１つ１つに対応して設けられるものではない。
【００１４】
ヒータ駆動信号は、不図示のシフトレジスタ（Ｓ／Ｒ）やデコーダ等を経て、論理回路の電源電圧ＶＤＤの電圧でヒータ選択回路１２０から出力される。このヒータ駆動信号は、レベル変換部１２１において論理回路の電源電圧ＶＤＤよりも高い、ドライバ駆動電圧ＶＨＴＭの電圧に昇圧され、ドライバ駆動バッファ１２２を経て、ドライバトランジスタ１２３のゲートに入力する。これは、ドライバトランジスタ１２３のゲートを論理回路の電源電圧よりも高い電圧で駆動することで、ヒータ１２４駆動時のドライバトランジスタ１２３での実効的な抵抗を小さくするためである。なお、ドライバ駆動電圧ＶＨＴＭはプリンタ本体から入力されるヒータ電源電圧ＶＨと同電位の電圧ＶＨＴから、素子基板内部に配置した変換電圧発生部１２５により生成される。
【００１５】
図７は、変換電圧発生部と記録ヘッドの素子基板に設けられた複数セグメントの駆動回路との関係を示す図である。
【００１６】
図７に示すように、Ｍ個のセグメントのそれぞれに、レベル変換部、ドライバ駆動バッファ及びドライバトランジスタ１２３とが備えられ、各セグメントは、前述したヒータ選択回路からの信号を入力する。また、変換電圧発生部１２５は、素子基板内に少なくとも１つ設けられ、各セグメントに、ヒータ電源電圧ＶＨと同電位の電圧ＶＨＴから生成したドライバ駆動電圧ＶＨＴＭを共通に入力する。
【００１７】
図８に、変換電圧発生回路の回路図を示す。
【００１８】
図８の変換電圧発生回路（変換電圧発生部１２５）は、抵抗１３０および１３１の抵抗比によって設定された所望の電圧をＭＯＳトランジスタ１３２のゲートへ印加するソースフォロア回路によってドライバ駆動電圧ＶＨＴＭを出力する構成である。抵抗１３０、１３１の抵抗値の比と、ヒータ電源電圧ＶＨと同電位の電圧ＶＨＴとにより、ドライバ駆動電圧ＶＨＴＭの電圧値が決定する。
【特許文献１】米国特許第６２９０３３４号公報
【特許文献２】米国特許第６３０２５０４号公報
【発明の開示】
【発明が解決しようとする課題】
【００１９】
一般的にインクジェット用の記録ヘッドに関しては、記録速度の高速化、記録画像の高品位化のために、ノズルの多数化および高密度化が進められている。しかし、例えばヒータを発熱させてインクの吐出を行うサーマルインクジェットプリンタでは、インクを吐出するために必要なエネルギーをヒータに発生させるため、素子基板の温度が上昇する。素子基板の温度上昇はインクの発泡・吐出特性に影響を与えるため、素子基板の温度をモニタしつつヒータに印加するエネルギーを調整すること等が必要となる。しかし、インクに付与するエネルギーを調整できる温度以上に素子基板の温度が上昇した場合には、記録動作を一時停止して素子基板を自然冷却させなければならない場合がある。
【００２０】
素子基板の温度上昇の影響は、高品位な写真画像記録を実現するために、吐出するインクの液滴を小さくする必要のあるカラーインク用の素子基板で特に顕著となりやすい。
【００２１】
また、ヒータを加熱してインク吐出を行う特性上、１ヒータあたり、数十から数百ｍＡ程度の電流を流す必要がある。このため、同時にインク吐出を行うノズルが増加するに従い、これらのヒータに流れる電流による電流ノイズが、素子基板上に設けた機能回路の動作に影響を与える懸念が大きくなる。
【００２２】
また、例えば、写真画像の記録を行う場合など、ブラック用素子基板はほとんど動作せず、カラー用素子基板の動作が主となる場合がある。また、テキスト画像を記録する場合、逆にカラー用素子基板はほとんど動作せず、ブラック用素子基板の動作が主となる場合がある。このように、使用する素子基板が一方に集中する場合がある。一方、従来のブラック用とカラー用とで別々の素子基板を有する記録ヘッドは、素子基板毎にその素子基板に様々な機能を付与する機能回路を備えていたため、回路の動作も一方の素子基板に集中する傾向があった。このため、素子基板の昇温や電流ノイズの影響が、一方の素子基板に偏って現れることがあった。
【００２３】
本発明は上記の課題に鑑みてなされたものであり、複数の素子基板を有する記録ヘッドにおいて、機能回路の配置を最適化することによって素子基板の昇温や電流ノイズの影響を低減した記録ヘッドを提供することを目的とする。
【課題を解決するための手段】
【００２４】
上記の目的を達成するための本発明は、複数の記録素子が備えられ、前記複数の記録素子を有する第１の素子基板と第２の素子基板を互いに離間して設けた記録ヘッドであって、
前記第１の素子基板は、
前記第２の素子基板と接続され、前記第２の素子基板の記録素子を駆動するための処理機能を有する第１の機能回路を有することを特徴とする記録ヘッドである。
【００２５】
また、上記の目的を達成するための別の本発明は、上記記録ヘッドを有するヘッドカートリッジ、記録装置である。
【発明の効果】
【００２６】
本発明によれば、複数の素子基板を有する記録ヘッドにおいて、機能回路の配置を最適化することによって素子基板の昇温や電流ノイズの影響を低減した記録ヘッド、ヘッドカートリッジ、記録装置を提供することができるという効果がある。
【発明を実施するための最良の形態】
【００２７】
本発明によれば、離間して設けられた複数の素子基板を有する記録ヘッドにおいて記録素子を駆動するための処理機能を有する機能回路を複数の素子基板間で分散配置したり、機能回路を他の素子基板に移して配置する。このことで、ヒータの駆動による昇温の影響、該機能回路の消費電力によるインク吐出特性への影響、電流ノイズが機能回路へ及ぼす影響等を抑制し、最適な記録ヘッドの設計が可能となる。つまり、一方の素子基板に配置された回路を他の素子基板で利用することで温度やノイズによる影響を抑えることができる。
【００２８】
例えば、機能回路の消費電力によって素子基板の温度が上昇し、その温度上昇がインクの発泡・吐出特性に影響を与える場合、この消費電力による発熱を複数の素子基板間で分散させ、インクの発泡・吐出特性への影響を緩和することが可能となる。
【００２９】
最近のインクジェットプリンタは、写真画像などの記録を行う際の記録品位を高めるため、カラーインクの液滴のサイズは小さい。液滴が小さくなるほど、素子基板の温度変化によって生ずる液滴の大きさの変化は、記録品位へ大きな影響を及ぼす。一方、カラーインクの液滴のサイズに対して、テキスト等の記録の際に用いられるブラックインクの液滴のサイズは大きく、素子基板の温度変化によって生ずる液滴の大きさの変化が大きな問題とはなりにくい。
【００３０】
そこで例えば、カラーインクの吐出のために使用する機能回路の一部をブラック用素子基板に設け、カラーインクの吐出のための機能回路が動作することによるカラー用素子基板の温度変化を小さくし、カラー画像の記録品位を高める効果を得ることができる。一方、ブラック用素子基板の温度変化は、カラー用素子基板の温度変化と比較して相対的に問題とはならないため、ヘッドトータルとしての最適な設計が可能となる。
【００３１】
また他の構成として、機能回路をカラー用素子基板とブラック用素子基板間で相補的に使用する構成がある。写真や図表などの記録を主目的としたカラー用素子基板と、テキストなどの記録を主目的としたブラック用素子基板とを搭載した記録ヘッドにおいて、カラー記録時にはブラック用素子基板の機能回路を動作させてその機能をカラー用素子基板で利用する。こうすることで、機能回路の動作による温度上昇の影響を、カラー用素子基板のインク発泡・吐出特性に対して回避することが可能となる。また、ブラック用素子基板動作時には、カラー用素子基板に搭載した機能回路を動作させてブラック用素子基板のインク発泡・吐出特性への影響を回避することも可能である。
【００３２】
この様な動作は、写真や図表などの記録動作時には、カラー用素子基板からのインク吐出が主となり、ブラック用素子基板のヒータの駆動があまり行われないことにより可能になる。また、テキストなどの記録動作時には、ブラック用素子基板からのインク吐出が主となり、カラー用素子基板のヒータの駆動があまり行われないことによって可能になる。
【００３３】
ここではブラック用素子基板とカラー用素子基板との間での例を示したが、例えばブラック用の素子基板を複数持つ場合であっても良い。
【００３４】
また、例えばヒータを駆動するための電流があまり流れない方の素子基板の機能回路を動作させることで、素子基板の温度上昇の低減、ヒータに流れる電流による電流ノイズの影響の低減、を可能にし、機能回路の安定動作を可能にする。この効果は、特にアナログ回路を機能回路として用いる場合に大きい。
【００３５】
また、バイポーラトランジスタとＣＭＯＳトランジスタとを有するＢｉＣＭＯＳを有する機能回路が必要となる場合、１つの素子基板にＢｉＣＭＯＳを有する機能回路を備え、この機能回路を複数の素子基板で利用する記録ヘッドの構成とすることができる。そして、他の素子基板は、ＢｉＣＭＯＳより安価なＣＭＯＳ等からなる機能回路のみを備えることで、記録ヘッドトータルでのコストを抑制しつつ、高度な機能を実現することが可能になる。
【００３６】
また、素子基板内における各回路等のデバイスの配置において、一般的に、同様の機能を実現するデバイスを隣接して配置することで、コンパクトに配置することができる。例えば、同種のデバイスをアレイ状に配置してその配置間隔を狭めることや、機能回路で必要とする電源端子や制御端子を隣接して配置することで、効率よくまとめることができる。従来、複数の素子基板毎に同種の機能回路を別々に配置していた。本発明では、１の素子基板に他の素子基板で利用する機能回路を配置し、記録ヘッドが有する複数の素子基板トータルでの面積を縮小させてコストの抑制を可能にしている。
【００３７】
以上説明したように、本発明により、素子基板の昇温に伴う吐出特性への影響の抑制、電流ノイズの機能回路への影響の抑制、記録ヘッドトータルでのコストの抑制等が可能となる。
【００３８】
以下添付図面を参照して本発明の好適な実施形態について詳細に説明する。
【００３９】
なお、この明細書において、「記録」とは、文字、図形等有意の情報を形成する場合のみならず、有意無意を問わず、広く記録媒体上に画像、模様、パターン等を形成する、または媒体の加工を行う場合も表すものとする。また、人間が視覚で知覚し得るように顕在化したものであるか否かを問わない。
【００４０】
また、「記録媒体」とは、一般的な記録装置で用いられる紙のみならず、広く、布、プラスチック・フィルム、金属板、ガラス、セラミックス、木材、皮革等、インクを受容可能なものも表すものとする。
【００４１】
さらに、「インク」とは、上記「記録」の定義と同様広く解釈されるべきもので、記録媒体上に付与されることによって、画像、模様、パターン等の形成または記録媒体の加工、或いはインクの処理に供され得る液体を表すものとする。インクの処理としては、例えば記録媒体に付与されるインク中の色剤の凝固または不溶化させることが挙げられる。
【００４２】
なお、説明に用いる「素子基板」とは、シリコン半導体からなる単なる基体を指し示すものではなく、各素子や配線等が設けられた基体を示すものである。
【００４３】
「素子基板上」とは、単に素子基板の表面上を指し示すだけでなく、素子基板の表面上、表面近傍の素子基体内部側をも示すものである。また、本発明でいう「作り込み」とは、別体の各素子を単に基体上に配置することを指し示している言葉ではなく、各素子を半導体回路の製造工程等によって素子基板上に一体的に形成、製造することを示すものである。
【００４４】
＜インクジェット記録装置の説明（図５）＞
図５は本発明の代表的な実施例であるインクジェット記録装置の構成の概要を示す外観斜視図である。
【００４５】
図５に示すように、インクジェット記録装置（以下、記録装置という）は、インクジェット方式に従ってインクを吐出して記録を行う記録ヘッド３を搭載している。記録ヘッド３を搭載したキャリッジ２にキャリッジモータＭ１によって発生する駆動力を伝達機構４より伝え、キャリッジ２を矢印Ａ方向に往復移動させる。この往復移動とともに、例えば、記録紙などの記録媒体Ｐを給紙機構５を介して給紙し、記録位置まで搬送し、その記録位置において記録ヘッド３から記録媒体Ｐにインクを吐出することで記録を行う。
【００４６】
記録装置のキャリッジ２には記録ヘッド３を搭載するのみならず、記録ヘッド３に供給するインクを収容するインクタンク６を装着する。インクタンク６はキャリッジ２に対して着脱可能になっている。
【００４７】
図５に示した記録装置１はカラー記録が可能であり、そのためにキャリッジ２にはマゼンタ（Ｍ）、シアン（Ｃ）、イエロ（Ｙ）、ブラック（Ｋ）のインクを夫々、収容した４つのインクタンクを搭載している。これら４つのインクタンクは夫々独立に着脱可能である。
【００４８】
さて、キャリッジ２と記録ヘッド３とは、両部材の接合面が適正に接触されて所要の電気的接続を達成維持できるようになっている。記録ヘッド３は、記録信号に応じてエネルギーを印加することにより、複数の吐出口からインクを選択的に吐出して記録する。特に、この実施例の記録ヘッド３は、熱エネルギーを利用してインクを吐出するインクジェット方式を採用し、熱エネルギーを発生するために電気熱変換体を備える。その電気熱変換体に印加される電気エネルギーが熱エネルギーへと変換され、その熱エネルギーをインクに与えることにより生じる膜沸騰による気泡の成長、収縮によって生じる圧力変化を利用して、吐出口よりインクを吐出させる。この電気熱変換体は各吐出口のそれぞれに対応して設けられ、記録信号に応じて対応する電気熱変換体にパルス電圧を印加することによって対応する吐出口からインクを吐出する。
【００４９】
図５に示されているように、キャリッジ２はキャリッジモータＭ１の駆動力を伝達する伝達機構４の駆動ベルト７の一部に連結されており、ガイドシャフト１３に沿って矢印Ａ方向に摺動自在に案内支持されるようになっている。従って、キャリッジ２は、キャリッジモータＭ１の正転及び逆転によってガイドシャフト１３に沿って往復移動する。また、キャリッジ２の移動方向（矢印Ａ方向）に沿ってキャリッジ２の位置を示すためのスケール８が備えられている。
【００５０】
また、記録装置には、記録ヘッド３の吐出口（不図示）が形成された吐出口面に対向してプラテン（不図示）が設けられており、キャリッジモータＭ１の駆動力によって記録ヘッド３を搭載したキャリッジ２が往復移動される。これと同時に、記録ヘッド３に記録信号を与えてインクを吐出することによって、プラテン上に搬送された記録媒体Ｐの全幅にわたって記録が行われる。
【００５１】
＜インクジェット記録装置の制御構成（図９）＞
図９は図５に示した記録装置の制御構成を示すブロック図である。
【００５２】
図９に示すように、コントローラ６００は、ＭＰＵ６０１、後述する制御シーケンスに対応したプログラム、所要のテーブル、その他の固定データを格納したＲＯＭ６０２を有する。また、キャリッジモータＭ１の制御、搬送モータＭ２の制御、及び、記録ヘッド３の制御のための制御信号を生成する特殊用途集積回路（ＡＳＩＣ）６０３を有する。また、画像データの展開領域やプログラム実行のための作業用領域等を設けたＲＡＭ６０４を有する。また、ＭＰＵ６０１、ＡＳＩＣ６０３、ＲＡＭ６０４を相互に接続してデータの授受を行うシステムバス６０５を有する。さらに、以下に説明するセンサ群からのアナログ信号を入力してＡ／Ｄ変換し、デジタル信号をＭＰＵ６０１に供給するＡ／Ｄ変換器６０６を有する。
【００５３】
また、図９において、６１０は画像データの供給源となるコンピュータ等でありホスト装置と総称される。ホスト装置６１０と記録装置との間ではインタフェース（Ｉ／Ｆ）６１１を介して画像データ、コマンド、ステータス信号等を送受信する。
【００５４】
さらに、６２０はスイッチ群であり、電源スイッチ６２１、プリント開始を指令するためのプリントスイッチ６２２、及び回復処理の起動を指示するための回復スイッチ６２３など、操作者による指令入力を受けるためのスイッチなどから構成される。６３０はフォトカプラなどの位置センサ６３１、温度センサ６３２等から構成されるセンサ群である。
【００５５】
さらに、６４０はキャリッジモータＭ１を駆動させるキャリッジモータドライバ、６４２は搬送モータＭ２を駆動させる搬送モータドライバである。また、６４４は、記録ヘッド３を駆動させる記録ヘッドドライバである。
【００５６】
なお、図５に示す構成は、インクタンク６と記録ヘッド３とが分離可能な構成であるが、これらが一体的に形成されて交換可能なヘッドカートリッジを構成しても良い。
【００５７】
図１０は、インクタンクと記録ヘッドとが一体的に形成されたヘッドカートリッジＩＪＣの構成を示す外観斜視図である。図１０において、点線Ｋはインクタンク６と記録ヘッド３の境界線である。ヘッドカートリッジＩＪＣにはこれがキャリッジ２に搭載されたときには、キャリッジ２側から供給される前記差動信号等の電気信号を受け取るための電極（不図示）が設けられている。そして、この電気信号によって、前述のように記録ヘッド３が駆動されてインクが吐出される。
【００５８】
なお、図１０において、５００はインク吐出口列である。
【実施例１】
【００５９】
実施例１として、カラー用素子基板を駆動するために使用する機能回路をブラック用素子基板へ搭載する例を示す。本実施例は、インク吐出時に、機能回路の消費電力に伴う素子基板の発熱の影響を受けにくいブラック用素子基板に機能回路を備えることで、該影響を受けやすいカラー用素子基板の昇温を抑制し、高品位なカラー記録を実現する。
【００６０】
図１は、実施例１の回路構成を示すブロック図である。
【００６１】
１０１は、テキスト記録などを主な目的とした相対的に大きな液滴のブラックインクを吐出する第１の素子基板（ブラック用素子基板）である。１０２は、写真などのカラー画像記録を主な目的とした相対的に小さな液滴のインクを吐出するための第２の素子基板（カラー用素子基板）である。これら２つの素子基板が同一の記録ヘッド上に備えられている。ここではブラック用素子基板とカラー用素子基板の間での機能素子回路の配置について説明する。ただし、同色で吐出量が異なる素子基板間や同色で同じ吐出量の素子基板間での機能素子回路の配置に置き換えても良い。
【００６２】
素子基板へインクを供給するためのインク供給口１０４がブラック用素子基板１０１には１個、カラー用素子基板１０２には６個、それぞれ形成されている。インク供給口１０４を挟んで、ヒータとその駆動回路（駆動素子）および制御回路からなるアレイ１０３が配置されている。ブラック用素子基板のインク供給口１０４は、黒インクをノズルへ供給するためのインク供給口である。カラー用素子基板のインク供給口１０４は、イエロ、マゼンタ、シアン、およびフォト用黒インクなどを供給するためのインク供給口である。
【００６３】
記録ヘッドと記録装置本体との電気的な接続を行うヘッドパッド１０６から、素子基板のパッド１０７へ配線を介して電気的な接続が行われる。図１では、簡略化のため、本発明の特徴である後述する機能回路１０５に関するヘッドパッド１０６のみを模式的に図示している。このため、他のヘッドパッド１０６、およびヘッドパッド１０６と素子基板のパッド１０７との電気的な接続は省略している。ここで、機能回路１０５は、駆動回路に印加するための電圧を生成する変換電圧発生回路であり、ブラック用素子基板に２つ搭載されており、その機能は２つの機能回路１０５とも同様である。ヘッドパッド１０６は、ブラック用素子基板の素子基板パッド１０７と接続されており、変換電圧発生回路用の電源電圧が印加される。
【００６４】
素子基板のパッド１０７から入力される電圧は、ブラック用素子基板１０１内に２つ配置された機能回路１０５へそれぞれ印加される。ブラック用素子基板１０１内に設けられた一方の機能回路１０５（第１の機能回路）からの出力は、ブラック用素子基板１０１のパッド１０７を経て、該パッド１０７と接続する、カラー用素子基板１０２のパッド１０７へと入力される。また他方の機能回路１０５（第２の機能回路）からの出力は、ブラック用素子基板１０１内のヒータとその駆動回路および制御回路からなるアレイ１０３へ入力される。ブラック用素子基板１０１と隣接するカラー用素子基板１０２へ入力された機能回路１０５からの出力は、カラー用素子基板１０２内のヒータとその駆動回路および制御回路からなるアレイ１０３へ入力される。
【００６５】
本実施例の構成により、機能回路１０５での消費電力による発熱は、ブラック用素子基板１０１でのみ発生することとなる。ブラック用素子基板１０１が主として使用されるのは、テキスト画像等であり、吐出する液滴のサイズがカラーインクよりも大きい。このため、機能回路１０５の消費電力に伴う素子基板の発熱によるインク吐出への影響をブラック用素子基板１０１は受けにくい。一方、カラー用素子基板１０２には機能回路１０５がないため、機能回路１０５の消費電力に伴う素子基板の発熱の影響をほとんど受けることはない。また、ブラック用素子基板１０１の機能回路１０５に基づく動作が可能となり、高品位な画像記録が達成可能となる。
【００６６】
さらに、本実施例では、機能回路１０５をブラック用素子基板１０１に集約している。この機能回路１０５は、所望の機能を実現させるために、ＣＭＯＳとバイポーラとを有したＢｉＣＭＯＳを有することが必要な場合がある。従来は、機能回路１０５を、ブラック用素子基板１０１とカラー用素子基板１０２に、それぞれ別個に配置していた。このため、両方の素子基板に、ＢｉＣＭＯＳが必要となっていた。しかし、本実施例は、ブラック用素子基板１０１にのみＢｉＣＭＯＳを用い、カラー用素子基板１０２にはより安価なＣＭＯＳを用いることが可能になる。このため、記録ヘッドの製造コストの削減が可能になる。ただし、これはかならずしも一方の素子基板をＢｉＣＭＯＳプロセスにより、他方をＣＭＯＳプロセスにより製造しなくてはならないものではない。必要に応じ、両方をＣＭＯＳプロセスとしてもよいし、両方をＢｉＣＭＯＳプロセスとしてもよい。またさらに、他のプロセスを用いてもよい。
【００６７】
また、図１では機能回路１０５を２つ設けているが、これは特に２つ設けることが必須ということではない。１つの機能回路１０５（第１の機能回路）でブラック用素子基板１０１、カラー用素子基板１０２の両方の機能を満足する構成とすれば１つの機能回路に集約することは可能である。一般的に１つの機能回路に集約した場合、ブラック用素子基板１０１内に占める機能回路１０５のレイアウト面積が２つ別個に配置した場合に比較して小さくすることが可能なケースが多い。このため、機能回路を１つに集約することは素子基板面積の縮小の観点からも好適となる。特に、ブラック用素子基板１０１、カラー用素子基板１０２のそれぞれに機能回路１０５を配置していた場合と比較すると、必要なパッドや制御端子などを一方の素子基板に集約することができ、素子基板面積の大幅な縮小が可能になる。
【００６８】
なお、より具体的な例として、図１１に、本実施例の機能回路１０５として図８の変換電圧発生回路を適用した場合の回路図を示す。
【００６９】
図８の変換電圧発生回路（変換電圧発生部１２５）は、抵抗１３０および１３１の抵抗比によって設定された所望の電圧をＭＯＳトランジスタ１３２のゲートへ印加するソースフォロア回路によってドライバ駆動電圧ＶＨＴＭを出力する構成である。抵抗１３０、１３１の抵抗値の比と、ヒータ電源電圧ＶＨ（第１の電圧）と同電位の電圧ＶＨＴとにより、ドライバ駆動電圧ＶＨＴＭ（第２の電圧）の電圧値が決定する。
【００７０】
図１１に示す例において、ブラック用素子基板１０１には図８の変換電圧発生回路が２つ配置されている。なお、本図中では変換電圧発生回路１０５を破線で囲っている。
【００７１】
変換電圧発生回路１０５はパッド１０７ａを介して印可される電源電圧ＶＨＴを降圧変換し、ドライバ駆動電圧ＶＨＴＭを出力する。
【００７２】
２つある変換電圧発生回路１０５の一方のドライバ駆動電圧ＶＨＴＭの出力端は、ブラック用素子基板を駆動するためにヒータとその駆動回路および制御回路からなるアレイ１０３へと接続されている。なお、アレイ１０３はインク供給口１０４をはさんで対向するように２箇所に配置されている。
【００７３】
他方のドライバ駆動電圧ＶＨＴＭの出力端はパッド１０７ｂに接続され、パッド１０７ｂは外部基板７００を介してカラー用素子基板１０２のパッド１０７ｃに接続されている。カラー用素子基板１０２内部では、パッド１０７ｃはカラー用素子基板内部のヒータとその駆動回路および制御回路からなるアレイ１０３に接続され、カラー用素子基板においてドライバ駆動電圧ＶＨＴＭが用いられている。
【００７４】
ここでカラー、ブラック用素子基板ともに、ヒータとその駆動回路および制御回路は図７に示すような回路構成となっており、１セグメントの回路は図６に示す構成となっている。
【００７５】
またさらに、本実施例における機能回路を一つに集約することで素子基板面積の縮小の観点から好適となる例を図１２に示す。
【００７６】
図１２は、図１１と同様にブラック用素子基板、カラー用素子基板の変換電圧発生回路をブラック用素子基板に集約しているが、ここでカラー用素子基板の変換電圧発生回路を１０５ａ、ブラック用素子基板の変換電圧発生回路を１０５ｂとしている。変換電圧発生回路１０５ａは図１１と同様、抵抗１３０および１３１の抵抗比によって設定された所望の電圧をＭＯＳトランジスタ１３２のゲートへ印加するソースフォロア回路によってドライバ駆動電圧ＶＨＴＭを出力する構成である。一方、変換電圧発生回路１０５ｂは抵抗１３０および１３１を含まず、変換電圧発生回路１０５ａの１３０および１３１により設定された所望の電圧を変換電圧発生回路１０５ｂのＭＯＳトランジスタ１３２のゲートへ印加する構成をとる。こうして、素子基板面積の縮小を図っている。同一の素子基板内で機能回路の一部を共有することで、素子基板面積の大幅な縮小が可能となる。
【００７７】
しかしながら本発明で指す機能回路は、当然これに限定するものではない。例えば、ヒータ電流を調整する機能を有する回路、素子基板の情報や特性などを記憶するメモリ、記録データを処理する論理回路、アナログ回路などでもよい。また、素子基板の温度など、素子基板の状態を示す信号を出力するための回路、アナログデータを入力してデジタルデータに変換して出力するアナログデジタルコンバータなどを含む回路でもよい。さらに、記録装置本体からの情報によって素子基板の状態を変化させるための回路、例えば、素子基板の温度制御用の回路やデジタルアナログコンバータなどを含む回路でもよい。
【００７８】
また、本実施例では、ブラック用素子基板１０１、カラー用素子基板１０２でともに使用する機能を実現する機能回路をブラック用素子基板１０１に搭載した例を示しているが、これは構成を限定するものではない。例えば、ブラック用素子基板１０１では使用せず、カラー用素子基板１０２で使用する機能の全てまたは一部を実現する機能回路１０５をブラック用素子基板１０１に搭載し、その機能をカラー用素子基板側で使用する構成も可能である。
【実施例２】
【００７９】
実施例２として、カラー用素子基板で使用する機能回路をブラック用素子基板へ搭載する一方、ブラック用素子基板で使用する機能回路をカラー用素子基板へ搭載する例を示す。機能回路での消費電力に伴う発熱を分散し、カラー用素子基板における吐出が主となる写真等のカラー画像の記録時にはブラック用素子基板に搭載した機能回路が主に動作する。一方、ブラック用素子基板における吐出が主となるテキスト等の記録時にはカラー用素子基板に搭載した機能回路が主に動作する。インクジェット記録装置の特徴的な動作である吐出動作は、カラー用素子基板またはブラック用素子基板の一方により主に行われる場面では、他方の素子基板では比較的少なくなる点に着目した構成である。
【００８０】
本実施例は、吐出動作を主に行っている一方の素子基板の機能回路の消費電力を抑制し、吐出動作を主に行っていない他方の素子基板の機能回路を動作させてその機能を使用する。ヒータからの発熱と機能回路からの発熱を分散し、素子基板の温度上昇を平均化することで過度な温度上昇を抑制する。また、本構成では、ヒータに電流があまり流れていない素子基板の機能回路を使用する。このため、機能回路に対するヒータに流れる電流に起因する電流ノイズの影響を抑制することが可能となり、機能回路の動作の信頼性を高めることも可能となる。
【００８１】
図２は、実施例２の回路構成を示すブロック図である。
【００８２】
なお、図２においては図１で示した回路ブロックと同じ構成要素を用いており、同様の注釈番号を用いているためそれぞれの構成要素に対する説明は省略する。
【００８３】
実施例２では、カラー用素子基板１０２で使用する機能回路１０５（第１の機能回路）をブラック用素子基板１０１へ搭載する一方、ブラック用素子基板１０１で使用する機能回路１０５（第３の機能回路）をカラー用素子基板１０２へ搭載する。
【００８４】
写真画像の記録等カラー用素子基板１０２の動作が主となる場合には、ブラック用素子基板１０１の機能回路１０５を主に動作させる。カラー用素子基板１０２は、インクの吐出に伴い大きな電流をヒータに流すため、カラー用素子基板１０２での発熱が生じるとともにヒータに流れる電流による電流ノイズが多く発生する。一方、ブラック用素子基板１０１は、カラー用素子基板１０２が主に動作しているタイミングではヒータからの発熱は相対的に少なく、またヒータに流れる電流による電流ノイズも小さい。ブラック用素子基板１０１に搭載した機能回路１０５を動作させ、その出力をカラー用素子基板１０２に入力することで、カラー用素子基板１０２において機能回路１０５の消費電力による発熱の影響は抑制される。また、ブラック用素子基板１０１の機能回路１０５の動作において、カラー用素子基板１０２のヒータに流れる電流による電流ノイズの影響も抑制される。
【００８５】
一方、テキストの記録等ブラック用素子基板１０１の動作が主となる場合には、逆に、カラー用素子基板１０２の機能回路１０５を動作させることで上記と同様の効果を得ることが可能となる。
【００８６】
本実施例の機能回路１０５は、具体的には図８で示した変換電圧発生回路であるが、実施例１と同様、他の機能回路を用いることができる。
【００８７】
図１３に機能回路１０５として図８で示した変換電圧発生回路を適用した例を示す。ブラック用素子基板１０１に配置された変換電圧発生回路１０５からの出力は、カラー用素子基板１０２へと印加される。一方、カラー用素子基板１０２に配置された変換電圧発生回路１０５からの出力は、ブラック用素子基板１０１へと印加される。写真などの記録時で、カラー用素子基板１０２の動作が主となる場合、カラー用素子基板内部のヒータとその駆動回路および制御回路からなるアレイ１０３が動作することとなる。このとき、ドライバ駆動電圧ＶＨＴＭは、ブラック用素子基板の変換電圧発生回路１０５から出力されることとなる。カラー用素子基板内部のヒータとその駆動回路および制御回路からなるアレイ１０３が動作することでカラー用素子基板は素子基板温度の上昇が伴う。ドライバ駆動電圧ＶＨＴＭを発生させる回路は記録動作が主とはなっていないブラック用記録素子基板上の変換電圧発生回路１０５である。このため、記録動作に伴うチップ温度の上昇がカラー及びブラック用記録素子間で分散されることとなる。またカラー用記録素子では多くのヒータ電流が流れることでノイズが発生するが、よりヒータ電流が少なくノイズの影響が少ないブラック用記録素子で変換電圧を発生させることが可能となる。こうして、カラー用素子基板の動作信頼性を向上させることが可能となっている。
【実施例３】
【００８８】
実施例３として、ブラック用素子基板とカラー用素子基板それぞれに機能回路を分散して搭載し、双方の機能回路を補完することで所望の機能が得られる例を示す。
【００８９】
図３は、実施例３の回路構成を示すブロック図である。
【００９０】
なお、図３においては図１で示した回路ブロックと同じ構成要素を用いており、同様の注釈番号を用いているためそれぞれの構成要素に対する説明は省略する。
【００９１】
本実施例の構成では、ブラック用素子基板上の機能回路１０５（第１の機能回路）を、ブラック用素子基板とカラー用素子基板の一部で共用している。また、カラー用素子基板上の機能回路１０５‘（第４の機能回路）は、ブラック用素子基板の機能回路１０５からの出力を入力しない回路部（カラー用素子基板内部のヒータとその駆動回路および制御回路からなるアレイ１０３）に対して出力を行っている。
【００９２】
本実施例の構成では、多列構成となるためブラック用素子基板に対して回路規模が大きくなりがちなカラー用素子基板の機能回路の一部を、ブラック用素子基板が担うことで、カラー用素子基板に回路が偏ることを防いでいる。本構成により、カラー用素子基板とブラック用素子基板で一方のチップサイズが大きくなることを抑制することが可能となる。また、回路を分散配置することにより、消費電力がカラー用素子基板とブラック用素子基板で偏ることを抑制可能となる。すなわち、放熱できる素子基板面積に対して平均的に発熱を分散させることができるために、機能回路１０５などの消費電力に伴う素子基板の昇温や吐出特性への影響を抑制することも可能となる。
【００９３】
本実施例の機能回路１０５は、具体的には図８で示した変換電圧発生回路であるが、実施例１または実施例２と同様、他の機能回路を用いることができる。
【００９４】
図１４に機能回路１０５および１０５‘として図８で示した変換電圧発生回路を適用した例を示す。ブラック用素子基板１０１に配置された変換電圧発生回路１０５からの出力は、ブラック用素子基板とカラー用素子基板１０２の一部の回路へと印加される。一方、カラー用素子基板１０２に配置された変換電圧発生回路１０５’からの出力は、ブラック用素子基板上の１０５からの出力が入力されていない、残りの回路へと印加される。
【００９５】
カラー用素子基板はブラック用素子基板に比較して、色数に応じた多数の回路を配置されることが多く、回路規模が大きくなる傾向にある。それらの回路を駆動する電源電圧発生回路の機能の一部を、より回路規模が小さいブラック用素子基板に受け持たせるとともに、一方に回路が偏ることがないようにカラー用素子基板にも機能回路の残りの一部を配置するものである。
【００９６】
また別の例を図１５に示す。図１５においては、抵抗１３０および１３１をブラック用素子基板の機能回路１０５のみに配置している。そして、これらにより生成されたドライバ駆動電圧ＶＨＴＭをブラック用素子基板およびカラー用素子基板それぞれのＭＯＳトランジスタ１３２のゲートへ印加する構成としている。
本例によれば、回路規模が比較的大きく、多くの電流が流れるカラー用素子基板１０２駆動時の素子基板の昇温や電源ノイズによる設定電圧への影響を軽減することが可能となる。
【００９７】
またカラー用素子基板とブラック用素子基板間での構成について実施例を示してきたが、これは本発明の構成を限定するものではない。
【００９８】
例えばカラー用素子基板を複数配置した記録ヘッドやブラック用素子基板を複数配置した記録ヘッドにおいて、それらの素子基板間で本実施例と同様に機能回路を分散して配置することで、温度やノイズの影響を軽減する効果を得ることができる。
【図面の簡単な説明】
【００９９】
【図１】実施例１の回路構成を示すブロック図である。
【図２】実施例２の回路構成を示すブロック図である。
【図３】実施例３の回路構成を示すブロック図である。
【図４】ヒータと駆動回路とが一体形成された素子基板の回路配置の例を示す図である。
【図５】本発明の代表的な実施の形態であるインクジェット記録装置の構成の概要を示す外観斜視図である。
【図６】従来の、ヒータ、ドライバトランジスタ等を含む１セグメントの等価回路の一例を示す図である。
【図７】変換電圧発生部と記録ヘッドの素子基板に設けられた複数セグメントの駆動回路との関係を示す図である。
【図８】従来の変換電圧発生部の回路図である。
【図９】記録装置の制御回路の構成を示すブロック図である。
【図１０】インクタンクと記録ヘッドとが一体的に形成されたヘッドカートリッジの構成を示す外観斜視図である。
【図１１】実施例１の回路構成を示すブロック図である。
【図１２】実施例１の回路構成を示すブロック図である。
【図１３】実施例２の回路構成を示すブロック図である。
【図１４】実施例３の回路構成を示すブロック図である。
【図１５】実施例３の回路構成を示すブロック図である。
【符号の説明】
【０１００】
１０１  ブラック用素子基板
１０２  カラー用素子基板
１０５  機能回路
４００  素子基板
【図１】
2008168627.tif 000003
【図２】
2008168627.tif 000004
【図３】
2008168627.tif 000005
【図４】
2008168627.tif 000006
【図５】
2008168627.tif 000007
【図６】
2008168627.tif 000008
【図７】
2008168627.tif 000009
【図８】
2008168627.tif 000010
【図９】
2008168627.tif 000011
【図１０】
2008168627.tif 000012
【図１１】
2008168627.tif 000013
【図１２】
2008168627.tif 000014
【図１３】
2008168627.tif 000015
【図１４】
2008168627.tif 000016
【図１５】
2008168627.tif 000017